(57)【要約】【課題】環境保護的な問題がなく、かつ安価で簡便な包装用のコーナー固定具を得る。【解決手段】一枚の段ボール等のシートから形成されたコーナー固定具で照明器具Ａの角部を保持固定し、コーナー固定具の底面１４に運設した舌片１９を下側段ボールバツキン３０に設けた嵌合溝４３に嵌合させる。【選択図】    図１
2004307052.tif 000002
【特許請求の範囲】
【請求項１】
一枚の四角形状の段ボールシートに、段ボールシートの外形辺に対して平行で、かつ段ボールシートを四分割する直交した２本の折り曲げ罫線を設けると共に、段ボールシート外形の対角を結ぶ折り曲げ罫線を設け、対角を結ぶ折り曲げ罫線を折り曲げて段ボールシートを賂三角形状に折りたたみ、その路三角形状をなした段ボールシートの内、鋭角をなしている一端を接合したことを特徴とする包装用照明器具のコーナー固定具。
【請求項２】
四分割された段ボールシートの一つの区画に、段ボールシートの外形辺に接する対角を結ぶ折り曲げ罫線を設け、舌片を運設したことを特徴とする請求項１記載の照明器具包装用のコーナー固定具。
【請求項３】
段ボールシートを四分割した直交する２本の折り曲げ罫線の内、前記請求項２に記載した舌片を設けた区画と対称をなす区画を形成する罫線を、２本の罫線の交点から適度な角度で傾かせたことを特徴とする請求項１記載の照明器具包装用のコーナー固定具。
【発明の詳細な説明】
【０００１】
【発明の属する技術分野】
本発明は角状の照明器具を包装箱中で固定保持するに好適な包装用のコーナー固定具に関する。
【０００２】
【従来の技術】
図１２は２種類の包装方法を左右に表した複合断面図である。右側部分に示す包装方法は、間緑に立ち上げ部を有する段ボールパッキング２、３で照明器具Ａの上下を挟んで外部衝撃から保護し、下側段ボールパッキング３の周囲に発泡スチロール等の固定ブロック４を貼り付けて照明器具を固定する方法である。また、左側部分に示す包装方法は、発泡スチロール等を成形したコーナーブロック６を照明器具の各角部に装着して照明器具を固定する方法である。
【０００３】
【発明が解決しようとする課題】
上記従来技術に於いて、発泡スチロール等の固定ブロックを段ボールバツキンに貼り付ける方法や、発泡スチロールを成形したコーナーブロックを用いる方法は、廃棄処理やリサイクル等環境保護面での問題があると共に包装部材自体が高価である。
本発明は、環境保護的な問題がなく、かつ安価で簡便なコーナー固定具を得ることを目的とする。
【０００４】
【課題を解決するための手段】
本発明の目的は、一枚の段ボール等のシートから形成されたコーナー固定具で照明器具のの角部を保持固定し、コーナー固定具の底面に運設した舌片を下側段ボールバツキンに設けた嵌合溝に嵌合させることにより達成される。
本発明のコーナー固定具は、折り曲げ罫線により四分割された区画の内、三つの区画をもって二つの壁面と底面を有するコーナー固定部を形成し、残る一つの区画をコーナー固定部の外側で接合してコーナー固定具が形成されていると共に、底面には対角を結ぶ舌片が設けられている。
一方、照明器具を上下で挟んで緩衝する段ボールパッキングの内、下側段ボールパッキングには前記舌片に対応した嵌合溝が設けられている。このような構成の包装部材を用いて包装した時、コーナー固定具は照明器具の角部に装着され、さらに底面の舌片が下側段ボールパッキングの嵌合溝に嵌合するので、コーナー固定具の二面の壁面で照明器具の角部を確実に固定保持でき、コーナー固定具自体は舌片が下側段ボールパッキングの嵌合溝で保持されるので、照明器具全体が包装箱中で移動や回転することを防止できる。
【０００５】
【発明の実施の形態】
本発明の実施形態を図１から図７により説明する。図１は本発明のコーナー固定具の展開図、図２は同コーナー固定具を折り曲げ接合した状態の平面図、図３は同コーナー固定具を開いた状態の斜視図、図４は同コーナー固定具の舌片を折り曲げた状態の斜視図、図５は同コーナー固定具を下側段ボールパッキングに装着した平面図。図６は同コーナー固定具を使用した包装全体の断面図である。図１はコーナー固定具１０を展開した状態を示しており、１枚の四角状の段ボール等の板紙を打ち抜き加工することによりなり、段ボールシートの外形辺に対して平行で、かつ段ボールシートを四分割する直交した２本の折り曲げ罫線２０、２１を設け、壁面１６、１６と底面１７及び接合面１８を形成する。さらに底面１７と接合面１８との対角３０、３１を結び、かつ直交した２本の折り曲げ罫線２０、２１の交点３２を結ぶ折り曲げ罫線２２を設ける。次に、底面１７には折り曲げ罫線２０、２１の端部を結ぶ折り曲げ罫線２３を設け舌片１９を運設する。このとき、舌片１９の幅は後述する下側段ボールパッキング４０の立ち上げ部４１に合わせて先端をカットしておく。また、接合面１８の先端もコーナー固定具１０を設置する位置と包装箱１の隙間に合わせてカットしておく。
このように加工されたシートを図２、３、４に示すようにコーナー固定具として形成する。まず、折り曲げ罫線２２を折り曲げて略三角形状に折り畳み、その路三角形の鋭角部分で二分割されて重なった接合面１８をステッチ針６０で接合する。もちろん、接合の手段はステッチ針以外にのり貼り、粘着テープ等でも差し支えない。
次に、図３に示すようにコーナー固定具１０を開き、壁面１５、１６と底面１７で形成されるコーナー固定部６０を形成すると共に、図４に示すように舌片１９を折り曲げてコーナー固定具が完成する。
一方、図５に示す下側段ボールパッキング４０は、周縁に立ち上げ部４１を有し、平面部４２のコーナー部分にコーナー固定具１０の舌片１９が嵌合する嵌合溝４３が設けてあり、ここにコーナー固定具１０の舌片１９を勘入し装着する。そして、図６に示すように包装箱１中に下側段ボールパッキング４０とコーナー固定具１０を収納し、コーナー固定具１０の内側に照明器具Ａを納め、上に周縁に立ち上げ部を持つ上側段ボールパッキング７０を載置して包装が完了する。したがって、照明器具は角部分がコーナー固定具のコーナー固定部によって固定保持されており、コーナー固定具自体は舌片が下側段ボールパッキングの嵌合溝に嵌合し、確実に固定されているので、輸送中の振動や衝撃によって照明器具が包装箱内で動揺したり、回転することがない。
図７から図１１は、コーナー固定具の別の実施例を示す。図７及び図８は、段ボールシートを四分割する２本の折り曲げ罫線２０、２１において、罫線の交点３２から左右いずれかに傾けた状態を示している。これをコーナー固定具１０１、ＬＯ２に形成し、それぞれ同様に照明器具を包装した状態が図８及び図９であり、照明器具Ｂ，Ｃの形状が上に大きい角錐形や下に大きい角錐形となっても適用できる実施例である。
さらに、図１１は比較的軽量の照明器具で上に大きい角錐の場合に、コーナー固定具１０３の壁面を照明器具Ｄの高さより大きくして、上側段ボールパッキングを削除しコストの低減を図った実施例である。
【０００６】
【発明の効果】
本発明によれば、照明器具を保持固定するコーナー固定具が簡単な段ボールシートを打ち抜き加工したもので済むので、安価に製作することができ、環境保護性も優れている。また、部材自体もかさばらないので、部材の製造や輸送の効率が良い。さらに、照明器具の形状変化にもある程度適応できるので、応用範囲が広い。
【図面の簡単な説明】
【図１】本発明に係るコーナー固定具の展開図。
【図２】同コーナー固定具を折り曲げ接合した状態の平面図。
【図３】同コーナー固定具を開いた状態の斜視図。
【図４】同コーナー固定具の舌片を折り曲げた状態の斜視図。
【図５】同コーナー固定具を下側段ボールパッキングに装着した平面図。
【図６】同コーナー固定具を使用した包装全体の断面図。
【図７】同々コーナー固定具の折り曲げ罫線を外側に傾けた展開図。
【図８】同コーナー固定具を使用した包装全体の断面図。
【図９】同コーナー固定具の折り曲げ罫線を内側に傾けた展開図。
【図１０】同コーナー固定具を使用した包装全体の断面図。
【図１１】同コーナー固定具を使用して上側パッキングを省略した包装全体の断面図。
【図１２】従来の包装方法を組み合わせた複合断面図。
【符号の説明】
Ａ，Ｂ，Ｃ，Ｄ：照明器具、１：包装箱、２，７０：上側段ボールパッキング、３，４０：下側段ボールパッキング、４：固定ブロック、５：コーナーブロック、１０，１０１，１０２，１０３：コーナー固定具、２０，２１，２２，２３：折り曲げ罫線、１５，Ｌ６：壁面、１７：底面、１８：接合面、１９：舌片、３０，３１：対角、３２：交点、５０：ステッチ針、６０：コーナー固定部、４１：立ち上げ部、４２：平面部、４３：嵌合溝
【図１】
2004307052.tif 000003
【図２】
2004307052.tif 000004
【図３】
2004307052.tif 000005
【図４】
2004307052.tif 000006
【図５】
2004307052.tif 000007
【図６】
2004307052.tif 000008
【図７】
2004307052.tif 000009
【図８】
2004307052.tif 000010
【図９】
2004307052.tif 000011
【図１０】
2004307052.tif 000012
【図１１】
2004307052.tif 000013
【図１２】
2004307052.tif 000014